(57)【要約】【課題】タグ打ちを希望する場合に適切なタイミングで動画にタグを打つことができるタギング装置、タギングシステム、タギング方法及びタギングプログラムを提供すること。【解決手段】タギング装置１００は、動画データにタグを付与する際の元となるタグ入力データ及び生体情報であるバイタルデータを受け付けるデータ入力部１０１と、前記タグ入力データ及び前記バイタルデータに基づいて、前記バイタルデータのレベルが予め設定された閾値以上を第１のタグ付与可能時刻範囲と決定する範囲設定部１０４と、を備える。【選択図】図１
2019075812.tif 000002
【特許請求の範囲】
【請求項１】
動画データにタグを付与する際の元となるタグ入力データ及び生体情報であるバイタルデータを受け付けるデータ入力部と、
前記タグ入力データ及び前記バイタルデータに基づいて、前記バイタルデータのレベルが予め設定された閾値以上を第１のタグ付与可能時刻範囲と決定する範囲設定部と、
を備えたことを特徴とするタギング装置。
【請求項２】
被写体を撮像し動画データを出力する撮像装置と、
タグ付与者のタグ打ち指示を受け付け、タグ入力データを出力するタグ入力装置と、
動画データを記録又は再生する複数のユーザのバイタルデータを測定し出力する複数のセンサー装置と、
前記タグ入力データ及び前記複数のバイタルデータの少なくとも１つに基づいて前記動画データにタグを付与するタギング装置とから構成され、
前記タグ入力データ及び前記バイタルデータを受け付けるデータ入力部と、
前記タグ入力データ及び前記バイタルデータに基づいて、前記バイタルデータのレベルが予め設定された閾値以上を第１のタグ付与可能時刻範囲と決定する範囲設定部と、
前記第１のタグ付与可能時刻範囲において、前記バイタルデータのピーク値を第１のタグ付与可能時刻タイミングとするタグ制御部と、
を備えたことを特徴とするタギングシステム。
【請求項３】
動画データにタグを付与する際の元となるタグ入力データ及び生体情報である複数のバイタルデータの少なくとも１つを受け付け、
前記タグ入力データ及び前記バイタルデータに基づいて、前記バイタルデータのレベルが予め設定された閾値以上を第１のタグ付与可能時刻範囲と決定し、
前記第１のタグ付与可能時刻範囲において、前記バイタルデータのピーク値を検出し、前記ピーク値を第１のタグ付与可能時刻タイミングとする、
タギング方法。
【請求項４】
動画データにタグを付与する際の元となるタグ入力データ及び生体情報である複数のバイタルデータの少なくとも１つを受け付けるデータ入力ステップと、
前記タグ入力データ及び前記バイタルデータに基づいて、前記バイタルデータのレベルが予め設定された閾値以上を第１のタグ付与可能時刻範囲と決定する範囲設定ステップと、
前記第１のタグ付与可能時刻範囲において、前記バイタルデータのピーク値を検出するステップと、
前記ピーク値を第１のタグ付与可能時刻タイミングとするタグ制御ステップと、
をコンピュータに実行させるタギングプログラム。
【発明の詳細な説明】
【技術分野】
【０００１】
本発明はタギング装置、タギングシステム、タギング方法及びタギングプログラムに関する。
【背景技術】
【０００２】
近年、デジタルカメラやデジタルビデオで撮影した動画データから必要なシーンを取り出し、ダイジェスト動画を編集、作成することが行われている。例えば、動画の撮影時に必要なシーンにタグ（またはインデックス、フラグとも言う）を付与し、動画編集、作成において、このタグに応じてユーザの好みの動画像のシーンの編集、作成する技術がある。
【０００３】
例えば、特許文献１には、生体情報が変化した開始したタイミングでフレームを抽出、記録するフラグを設定し、フラグを設定したタイミング（及びタイミング前後）のフレームを記録する画像記録装置が記載されている。
【先行技術文献】
【特許文献】
【０００４】
【特許文献１】特開２０１４−１９２７５５号公報
【発明の概要】
【発明が解決しようとする課題】
【０００５】
しかしながら特許文献１に記載された画像記録装置では、生体情報が変化したタイミングは全て記録するタイミングとしてタグが打たれてしまうので、タグ打ちを希望しないタイミングでも、画像データにタグが打たれてしまうという問題があった。
【課題を解決するための手段】
【０００６】
本発明のタギング装置は、音声及び動画の少なくとも一方を含むデータに対するタグを付与する際の元となるタグ入力データ及び生体情報であるバイタルデータを受け付けるデータ入力部と、前記タグ入力データ及び前記バイタルデータに基づいて、前記バイタルデータのレベルが予め設定された閾値以上をタグ付与可能時刻範囲と決定する範囲設定部と、前記タグ付与可能時刻設定範囲において、前記バイタルデータのピーク値をタグ付与可能時刻タイミングとするタグ制御部と、を備える。
本発明のタギングシステムは、被写体を撮像し動画データを出力する撮像装置と、タグ付与者のタグ打ち指示を受け付け、タグ入力データを出力するタグ入力装置と、タグ付与者のバイタルデータを測定し出力するセンサー装置と、前記タグ入力データ及び前記バイタルデータに基づいて前記動画データにタグを付与するタギング装置とから構成され、前記タグ入力データ及び前記バイタルデータを受け付けるデータ入力部と、前記タグ入力データ及び前記バイタルデータに基づいて、前記バイタルデータのレベルが予め設定された閾値以上をタグ付与可能時刻範囲と決定する範囲設定部と、前記タグ付与可能時刻範囲において、前記バイタルデータのピーク値をタグ付与可能時刻タイミングとするタグ制御部とを備える。
【０００７】
本発明のタギング方法は、動画データにタグを付与する際の元となるタグ入力データ及び生体情報であるバイタルデータを受け付け、前記タグ入力データ及び前記バイタルデータに基づいて、前記バイタルデータのレベルが予め設定された閾値以上をタグ付与可能時刻範囲と決定し、前記タグ付与可能時刻範囲において、前記バイタルデータのピーク値を検出し、前記ピーク値をタグ付与可能時刻タイミングとする。
【０００８】
本発明のタギングプログラムは、動画データにタグを付与する際の元となるタグ入力データ及び生体情報であるバイタルデータを受け付けるデータ入力ステップと、前記タグ入力データ及び前記バイタルデータに基づいて、前記バイタルデータのレベルが予め設定された閾値以上をタグ付与可能時刻範囲と決定する範囲設定ステップと、前記タグ付与可能時刻範囲において、前記バイタルデータのピーク値を検出するステップと、前記ピーク値をタグ付与可能時刻タイミングとするタグ制御ステップと、をコンピュータに実行させる。
【発明の効果】
【０００９】
本発明のタギング装置、タギングシステム、タギング方法及びタギングプログラムによれば、適切なタイミングのタグを生成することができるとともに、動画に適切なタイミングでタグを打つことができる。
【図面の簡単な説明】
【００１０】
【図１】実施の形態１にかかるタギングシステムの構成を示すブロック図である。
【図２】実施の形態１にかかるタギング装置の動作の例を示すフローチャートである。
【図３】バイタルデータとタグ打ちタイミングとの関係の例を示す図である。
【図４】実施の形態２にかかるタギング装置の動作の例を示すフローチャートである。
【発明を実施するための形態】
【００１１】
（実施の形態１）
以下、図面を参照して本発明の実施の形態について説明する。図１は、実施の形態１にかかるセンサー装置、タグ入力装置、タギング装置及び撮像装置から構成されるタギングシステムを示すブロック図である。
【００１２】
図１では、撮像装置２００が連続的に被写体を撮像して取得した動画データと、センサー装置３００が人物のバイタルデータと、タグ入力装置４００が人物からのタグ打ちの指示を受け付けてタグ打ちの指示の元となるタグ入力データとをタギング装置１００に送信する。タギング装置１００では、入力したタグ入力データ及び前記バイタルデータに基づいて、動画データにタグ打ちするタイミングを決定する。
【００１３】
図１において、タギング装置１００は、撮像装置２００が撮像した動画データと、センサー装置３００が測定したバイタルデータと、タグ入力装置４００が受け付けたタグ打ちの指示と時刻を同期して処理する。装置間のデータの伝送で、遅延を考慮する場合は、各装置のデータに時刻を関連づけて伝送し、同じ時刻のデータを同期させて処理してもよい。
【００１４】
まず、タギング装置１００は、データ入力部１０１と、センサーデータ記録部１０２と、タグ制御部１０３と、範囲設定部１０４と、ＣＰＵ１０５を備える。
【００１５】
データ入力部１０１は、後述するセンサー装置３００及び後述するタグ入力装置４００と、無線または有線で通信する。具体的には、データ入力部１０１は、センサー装置３００から送信されたバイタルデータを受信し、またタグ入力装置４００から送信されたタグ入力データを受信し、撮像装置２００から撮像された動画データを受信する。タグ入力データにはタグが付与された時刻情報が含まれる。
【００１６】
データ入力部１０１は、無線で通信する場合、図示しないアンテナ、増幅回路、周波数変換回路、変調回路及び復調回路を備える無線通信回路で構成することが好適である。また、データ入力部１０１は、有線で通信する場合、図示しない増幅回路、変調回路及び復調回路を備える有線通信回路で構成されることが好適である。また、データ入力部１０１は、光を用いて通信する場合、図示しない発光素子、光変調回路、受光素子及び光復調回路を備えることが好適である。
【００１７】
特に、データ入力部１０１は、センサー装置３００において測定されたバイタルデータを受信しつつ、タグ入力装置４００が送信したタグ打ちの指示を受け付け、さらに撮像装置２００から撮像された動画データを受信する。
【００１８】
センサーデータ記録部１０２は、センサー装置３００から送信されたバイタルデータを記録する。例えば、センサーデータ記録部１０２は、RAM(Random Access Memory)等のメモリが好適である。また撮像装置２００からの動画データをバイタルデータの時間情報と同期させて記録する。
【００１９】
範囲設定部１０４は、タグ入力データの時刻情報に基づいて、バイタルデータからタグ付与可能時刻範囲を決定する。具体的には、範囲設定部１０４は、タグ打ちされた時刻を含むバイタルデータが所定の閾値以上である連続した時刻範囲を第１のタグ付与可能時刻範囲とする。バイタルデータとして心拍数を用いる場合、タグ打ちされた時刻における心拍数が所定の閾値（例えば心拍数７５）以上である時刻範囲を、第１のタグ付与可能時刻範囲とする。第１のタグ付与可能時刻範囲はユーザが任意に設定しても良い。
【００２０】
タグ制御部１０３は、第１のタグ付与可能時刻範囲内において、少なくとも一人のバイタルデータの最も近いピークをタグ付与可能時刻タイミングとし、動画データにタグ打ちするタイミングとする。また、バイタルデータに複数のピークがある場合、タグ打ちの指示のタイミングに最も近いピークのタイミングを、タグを打つタイミングとする。
【００２１】
ＣＰＵ１０５は、中央処理ユニット(Central Processing Unit)であり、データ入力部１０１と、センサーデータ記録部１０２と、タグ制御部１０３と範囲設定部１０４とをデータバスで接続し、プログラムの命令を実行することで情報処理を行う。
【００２２】
次に、撮像装置２００は、ＣＰＵ２０１と、カメラ２０２と、撮像部２０３と、画像データ処理部２０４と、記録媒体２０５と、データ入出力部２０６とを備える。
【００２３】
ＣＰＵ２０１は、中央処理ユニットであり、撮像部２０３と、画像データ処理部２０４と、データ入出力部２０６とをデータバスで接続し、プログラムの命令を実行することで情報処理を行う。
【００２４】
カメラ２０２は、対象物を光学的に撮像し電気信号に変換し画像データを生成して、撮像した画像データを撮像部２０３に出力する。例えば、カメラ２０２は、ＣＣＤ(Charge-Coupled Device)イメージセンサまたはＣＭＯＳ(Complementary metal-oxide-semiconductor)イメージセンサと、光学レンズとの組合せが好適である。
【００２５】
撮像部２０３は、カメラ２０２において撮像した画像データをバッファし、所定のフレームレートの動画データとして出力する。具体的には、撮像部２０３は、カメラ２０２が撮像した画像データを、一定時間間隔の連続した画像データ、すなわち動画データとする。
【００２６】
画像データ処理部２０４は、撮像部２０３から出力された動画データに画像処理を行い、画像処理後の動画データを、データ入出力部２０６を介して記憶媒体２０５に記憶する。具体的には、画像データ処理部２０４は、ＣＰＵ２０１が指示するフレームレートに変換する。また、画像データ処理部２０４は、動画データをＣＰＵ２０１が指示する画像サイズに変換してもよい。なお、撮像部２０３から出力された動画データに画像処理を行わずに記録媒体２０５に記憶した場合、画像データ処理部２０４は、記録媒体２０５から撮像した動画データを読み出し、画像処理を行い、加工後の動画データを記録媒体２０５に記憶しても良い。
【００２７】
記録媒体２０５は、動画データを記録する媒体である。例えば、記録媒体２０５は、フラッシュメモリ等の不揮発性メモリが好適である。また、記録媒体２０５は、撮像装置２００から取り外し可能としてもよい。
【００２８】
データ入出力部２０６は、記録媒体２０５にデータを記憶する、または記録媒体２０５からデータを読み出す。例えば、データ入出力部２０６は、記録媒体２０５とのインターフェース回路で構成されることが好適である。
【００２９】
そして、センサー装置３００は、ＣＰＵ３０１と、センサー３０２と、センサー制御部３０３と、センサーデータ処理部３０４と、データ通信部３０５とを備える。このセンサー装置３００は、バイタルデータを連続的に測定し、測定したバイタルデータを連続的にタギング装置１００及び撮像装置２００に送信する。
【００３０】
ＣＰＵ３０１は、中央処理ユニットであり、センサー３０２、センサー制御部３０３、センサーデータ処理部３０４、及びデータ通信部３０５とデータバスで接続し、プログラムの命令を実行することで情報処理を行う。
【００３１】
センサー３０２は、バイタルサインを測定し、測定データを電気信号に変換してバイタルデータとしてセンサー制御部３０３に出力する。測定するバイタルサインは、心拍数、呼吸数、血圧、体温、脳波、発汗量、対象者の体の動き、及び動脈血の酸素飽和度のいずれか、またはその組み合わせが好適ある。したがって、センサー３０２は、心拍計、呼吸計、血圧計、体温計及びパルスオキシメーター、加速度センサーのいずれか、または組み合わせが好適である。
【００３２】
センサー制御部３０３は、センサー３０２を制御し、またセンサー３０２から出力されたバイタルデータを増幅、変換して出力する。例えば、センサー制御部３０３は、増幅回路、アナログデジタル変換回路等で構成されることが好適である。
【００３３】
センサーデータ処理部３０４は、センサー制御部３０３から出力されたバイタルデータを、バッファし、所定のフォーマットに変換してデータ通信部３０５に出力する。
【００３４】
データ通信部３０５は、センサーデータ処理部３０４から処理されたバイタルデータをデータ入力部１０１に無線または有線で送信する。データ通信部３０５は、データ入力部１０１と同様の無線通信回路、有線通信回路または光通信回路で構成されることが好適である。
【００３５】
なお、センサー装置３００と、タギング装置１００及び撮像装置２００との間に遅延が想定される通信方式を用いる場合、センサーデータ処理部３０４は、測定したバイタルデータとバイタルデータを測定した時刻とを組み合わせて送信することにより遅延の影響を抑制することが可能となる。
【００３６】
そして、タグ入力装置４００は、ＣＰＵ４０１と、キー入力部４０２と、キー制御部４０３と、タグデータ処理部４０４と、データ通信部４０５とを備える。
【００３７】
ＣＰＵ４０１は、中央処理ユニットであり、キー制御部４０３、タグデータ処理部４０４及びデータ通信部４０５とデータバスで接続し、プログラムの命令を実行することで情報処理を行う。
【００３８】
キー入力部４０２は、特にタグを打つ操作を受け付ける。例えば、ボタンの押下等によって発生するタグ打ち指示信号を受け付け電気回路を接続するスイッチ等が好適である。
【００３９】
キー制御部４０３は、キー入力部４０２の操作による信号に対して各種処理を行い、タグ打ち指示信号を出力する。例えば、キー制御部４０３は、電気信号の増幅、チャタリングによるノイズの除去等の処理を行う。
【００４０】
タグデータ処理部４０４は、タグ打ちの操作である場合、データ通信部４０５を介して撮像装置２００内のタギング装置１００にタグ打ちの指示を送信する。
【００４１】
なお、タグ入力装置４００と、タギング装置１００及び撮像装置２００との間に遅延が想定される通信方式を用いる場合、タグデータ処理部４０４は、タグ打ちの指示に代えてタグ打ちの操作を受け付けた時刻を送信しても良い。また、タグデータ処理部４０４は、タグ打ちの指示とタグ打ちの操作を受け付けた時刻とを組み合わせて送信しても良い。
【００４２】
データ通信部４０５は、タグデータ処理部４０４から出力されたタグ打ちの指示をデータ入力部１０１に無線または有線で送信する。データ通信部４０５は、データ入力部１０１と同様の無線通信回路、有線通信回路または光通信回路で構成されることが好適である。
【００４３】
次に、タギング装置１００の動作について説明する。図２は、実施の形態１に係るタギング装置の動作の例をしめすフローチャートである。
【００４４】
ステップＳ５０１において、タグ制御部１０３は、データ入力部１０１がタグ入力装置４００からのタグ打ちの指示信号を受信したか否か判断する。そして、タグ入力装置４００からのタグ打ちの指示信号を受信した場合、ステップＳ５０２に進み、タグ入力装置４００からのタグ打ちの指示信号を受信しなかった場合、ステップＳ５０９に進む。
【００４５】
ステップＳ５０２において、範囲設定部１０４は、ステップＳ５０１で受信したタグ打ち指示信号の入力のタイミングに対応する時刻におけるセンサー装置３００から受信したバイタルデータのレベルが、あらかじめ設定された所定の閾値以上であるか否か判断する。所定の閾値以上である場合、ステップＳ５０３に進み、所定の閾値未満の場合、ステップＳ５０６に進む。
【００４６】
ステップＳ５０３において、範囲設定部１０４は、センサー装置３００から受信したバイタルデータから、そのレベルがステップＳ５０１で受信したタグ打ち指示のタイミングを含むあらかじめ設定された所定の閾値以上の連続した領域を抽出し第１のタグ付与可能時刻範囲と設定し、ステップＳ５０４に進む。
【００４７】
ステップＳ５０４において、タグ制御部１０３は、ステップＳ５０３で設定されたバイタルデータの第１のタグ付与可能時刻範囲の中から、ステップＳ５０１で受信したタグ打ち指示信号の入力のタイミングに最も近いバイタルデータのピークを抽出し、ステップＳ５０５に進む。
【００４８】
ステップＳ５０５において、タグ制御部１０３は、Ｓ５０４で抽出されたピークの時刻を第１のタグ付与可能時刻タイミングとし、撮像装置２００から受信した動画データの同一時刻の画像に対して第１のタグを付与し、ステップＳ５０７に進む。
【００４９】
ステップＳ５０６において、タグ制御部１０３は、ステップＳ５０１で受信したタグ打ち指示信号の入力タイミングにおいて、撮像装置２００から受信した動画データの同一時刻の画像に対して第２のタグを付与し、ステップＳ５０７に進む。
【００５０】
ステップＳ５０７において、タグ制御部１０３は、撮像が終了したか否か確認する。そして、撮像が終了していない場合、ステップＳ５０１に戻り、撮像が終了した場合、タグ打ちに関する処理を終了する。
【００５１】
以上の動作により、タギング装置１００は、タグ打ちを希望する場合に、適切なタイミングで動画にタグを打つことができる。
【００５２】
次に、実際のタグ打ちの例について説明する。図３は、バイタルデータとタグ打ちタイミングとの関係の例を示す図である。図３において、横軸は時刻を示し、縦軸はバイタルデータの一例である心拍数を示す。図３では、スポーツ等のゲームを観戦している時の心拍数の例を示している。
【００５３】
まず、ゲームが開始された前後において、観戦者は、緊張により心拍数の増加が起こる。時刻ｔ１〜ｔ２の範囲において心拍数が所定の閾値を超えているが、タグ入力装置４００からタグ打ちの指示がないので、タグ制御部１０３は、このｔ１〜ｔ２の間にタグを打たない。
【００５４】
次に、時刻ｔ３〜ｔ４の範囲において、タグ入力装置４００からタグ打ちの指示タイミングがＡ２であるとした場合、観戦中のゲームのスコアの変動等により、観戦者が興奮して心拍数の増加が起こり、タグ制御部１０３は、心拍数が所定の閾値を超えた時刻ｔ３〜ｔ４の範囲を、タグ付与可能時刻範囲と判断する。
【００５５】
また、このタイミングＡ２は、時刻ｔ３〜ｔ４の間のピークとなるタイミングＡ２’から遅れている。例えば、観戦者が急激な状況の変化に体の動作がついていけず、ボタン押下動作等が遅れた場合などが考えられる。この場合、タグ制御部１０３は、実際にタグを打つタイミングを、タグ打ちが指示されたタイミングＡ２から、タグ付与可能時刻ｔ３〜ｔ４間の心拍数のピークであるタイミングＡ２’に変更する。
【００５６】
次に、時刻ｔ５〜ｔ６の間において、タグ入力装置４００からのタグ打ちの指示タイミングがＡ３であるとした場合、タグ制御部１０３は、心拍数が所定の閾値を超えた時刻ｔ５〜ｔ６の範囲を、タグ付与可能時刻範囲と判断する。
【００５７】
このタイミングＡ３は、時刻ｔ５〜ｔ６の間のピークとなるタイミングＡ３’から先んじている。例えば、観戦者が、状況の変化を先読みしてしまった場合などが考えられる。この場合、タグ制御部１０３は、実際にタグを打つタイミングを、タグ打ちが指示されたタイミングＡ３から、タグ付与可能時刻ｔ５〜ｔ６間の心拍数のピークであるタイミングＡ３’に変更する。
【００５８】
そして、時刻ｔ７にゲームが終了した場合、余韻により心拍数の増加が起こり、時刻ｔ７〜ｔ８の範囲において心拍数が所定の閾値を超えている。しかし、タグ入力装置４００からタグ打ちの指示がないので、タグ制御部１０３は、このｔ７〜ｔ８の間にタグを打たない。
【００５９】
このように実施の形態１のタギング装置によれば、タグ打ちの指示の前後いずれかにおいて、所定の期間内での前記バイタルデータのピーク値が所定の閾値以上である場合、バイタルデータのピークとなるタイミングをタグ打ちタイミングとすることにより、タグ打ちのタイミングが早くまたは遅くずれた場合においても適切なタイミングでタグを打つことができる。
【００６０】
（実施の形態２）
次に、第２の実施形態について説明する。図４は、第２の実施形態に係るタギング装置の動作の例をしめすフローチャートである。
【００６１】
ステップＳ６０１において、タグ制御部１０３は、データ入力部１０１がタグ入力装置４００からのタグ打ちの指示信号を受信したか否か判断する。そして、タグ入力装置４００からのタグ打ちの指示信号を受信した場合、ステップＳ６０２に進み、タグ入力装置４００からのタグ打ちの指示信号を受信しなかった場合、ステップＳ６０８に進む。
【００６２】
ステップＳ６０２において、範囲設定部１０４は、ステップＳ６０１で受信したタグ打ち指示信号の入力のタイミングに対応する時刻におけるセンサー装置３００から受信したバイタルデータのレベルが、あらかじめ設定された所定の閾値以上であるか否か判断する。所定の閾値以上である場合、ステップＳ６０３に進み、所定の閾値未満の場合、ステップＳ６０７に進む。
【００６３】
ステップＳ６０３において、範囲設定部１０４は、センサー装置３００から受信したバイタルデータから、そのレベルがステップＳ６０１で受信したタグ打ち指示のタイミングを含むあらかじめ設定された所定の閾値以上の連続した領域を抽出し第１のタグ付与可能時刻範囲と設定し、ステップＳ６０４に進む。
【００６４】
ステップＳ６０４において、タグ制御部１０３は、ステップＳ６０３で設定されたバイタルデータの第１のタグ付与可能時刻範囲の中から、ステップＳ６０１で受信したタグ打ち指示信号の入力のタイミングに最も近いバイタルデータのレベルのピークを抽出し、ステップＳ６０５に進む。
【００６５】
ステップＳ６０５において、タグ制御部１０３は、ステップＳ６０４で抽出されたピークのレベルから重要度を決定し、ステップＳ６０６に進む。この重要度は具体的には、バイタルデータを心拍数とした場合に、閾値を基準０として、ピークのレベル範囲が０以上１０未満の場合は興奮度小、ピークのレベル範囲が１０以上２０未満の場合は興奮度中、ピークのレベル範囲が２０以上の場合は興奮度大、と言うようにバイタルデータのピークのレベル範囲に応じて重要度を決定する。このピークのレベル範囲は３段階とは限らず、各ピーク値の範囲も含めてユーザが任意に設定可能である。
【００６６】
ステップＳ６０６において、タグ制御部１０３は、Ｓ６０４で抽出されたピークの時刻を第１のタグ付与可能時刻タイミングとし、撮像装置２００から受信した動画データの同一時刻の画像に対して第１のタグを付与し、さらにステップＳ６０５で決定した重要度を補助情報として第１のタグに付加し、ステップＳ６０８に進む。ここで、バイタルデータから算出した重要度や、タグ付与者が決めた重要度、タグ付与者情報等を補助情報としてタグに付加することが可能である。
【００６７】
ステップＳ６０７において、タグ制御部１０３は、ステップＳ６０１で受信したタグ打ち指示信号の入力タイミングにおいて、撮像装置２００から受信した動画データの同一時刻の画像に対して第２のタグを付与し、ステップＳ６０８に進む。
【００６８】
ステップＳ６０８において、タグ制御部１０３は、撮像が終了したか否か確認する。そして、撮像が終了していない場合、ステップＳ６０１に戻り、撮像が終了した場合、タグ打ちに関する処理を終了する。
【００６９】
以上の動作により、タギング装置１００は、タグ打ちを希望する場合に、適切なタイミングで動画にタグを打つことができる。
【００７０】
また、実施の形態２のタギング装置によれば、所定の期間内でのバイタルデータの変化量が所定の閾値以上である場合、タグ制御部は、バイタルデータのピーク値に基づいたタグ付与者の興奮度をレベル分けしてタグに補助情報を追加することができる。
【００７１】
なお、本発明は上記実施の形態に限られたものではなく、趣旨を逸脱しない範囲で適宜変更することが可能である。例えば、タグ入力装置、センサー装置、タギング装置、撮像装置は、各々別の装置としても良いし、一体の装置としても良い。
【００７２】
また、タグ入力装置、センサー装置、撮像装置は、いずれも１つに限定されず、１対複数、または複数対複数の関係で通信を行ってもよい。例えば、一つのタグ入力装置及び1つのセンサー装置と、複数の撮像装置とが通信を行っても良い。この場合、タグ入力タイミング及びバイタルデータを複数の撮像装置で共用する。
【００７３】
また、複数のタグ入力装置及び複数のセンサー装置と、一つの撮像装置とが通信を行っても良い。この場合、タグ入力タイミング及びバイタルデータの複数データを、全て一つの撮像装置で用いても良いし、タグ入力が一定の期間内に一定数以上合った場合に、タグ入力を受け付けるようにしても良い。
【００７４】
さらに複数のタグ入力装置及び複数のセンサー装置と、複数の撮像装置とが通信を行っても良い。この場合、タグ入力タイミング及びバイタルデータを複数の撮像装置で共用しても良いし、タグ入力タイミング及びバイタルデータの複数データを、全て撮像装置で用いても良いし、タグ入力が一定の期間内に一定数以上合った場合に、タグ入力を受け付けるようにしても良い。
【００７５】
また、タグと関連づけるデータは、動画のデータに限らず、音声または動画、あるいは音声及び動画を含むデータであれば、いずれも適用できる。
【００７６】
また、上記実施の形態では、バイタルデータである心拍数が所定の閾値を超えた時刻範囲を、タグ付与可能時刻範囲と判断しているが、傾き、変化量、閾値を超える時間、積分値等をバイタルデータの変化の指標として範囲を決定しても良い。
【００７７】
また、上記実施の形態では、バイタルデータである心拍数が所定の閾値未満の場合にはタグ入力タイミングの時刻で第２のタグを付与するようにしているが、タグ入力タイミングの時刻に最も近いバイタルデータのピークに第２のタグを付与するようにしても良い。
【００７８】
また、上記実施の形態では、範囲設定部１０４は、タグ入力データの時刻情報に基づいて、バイタルデータからタグ付与可能時刻範囲を決定したが、バイタルデータが閾値以上である時刻範囲をタグ付与可能時刻範囲とした後でタグ入力データの有無を検出しても良い。
【００７９】
また、上記実施の形態における、センサーデータ記録部１０２、タグ制御部１０３、範囲設定部１０４、撮像部２０３と、画像データ処理部２０４、データ入出力部２０６、センサー制御部３０３、センサーデータ処理部３０４、キー制御部４０３及びタグデータ処理部４０４については、ＡＳＩＣ（Application Specific Integrated Circuit）等のハードウェアまたはソフトウェアで実施できる。また、処理の一部をソフトウェアで実施し、それ以外をハードウェアで実施することとしても良い。ソフトウェアで実施する際には、マイクロプロセッサ等の１つあるいは複数のＣＰＵ（Central Processing Unit）を有するコンピュータシステムに機能ブロックの処理に関するプログラムを実行させればよい。これらのプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Compact Disc Read Only Memory）、ＣＤ−Ｒ、ＣＤ−Ｒ／Ｗ、ＤＶＤ−ＲＯＭ（Digital Versatile Disc Read Only Memory）、ＤＶＤ−Ｒ（DVD Recordable）、ＤＶＤ−Ｒ  ＤＬ（DVD-R Dual Layer)、ＤＶＤ−ＲＷ（DVD ReWritable）、ＤＶＤ−ＲＡＭ、ＤＶＤ＋Ｒ、ＤＶＲ＋Ｒ  ＤＬ、ＤＶＤ＋ＲＷ、ＢＤ−Ｒ（Blu-ray（登録商標） Disc Recordable）、ＢＤ−ＲＥ（Blu-ray （登録商標）Disc Rewritable）、ＢＤ−ＲＯＭ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【００８０】
１００ タギング装置
１０１ データ入力部
１０２ センサーデータ記録部
１０３ タグ制御部
１０４ 範囲設定部
２００ 撮像装置
１０５、２０１、３０１、４０１     ＣＰＵ
２０２ カメラ
２０３ 撮像部
２０４ 画像データ処理部
２０５ 記録媒体
２０６ データ入出力部
３００ センサー装置
３０２ センサー
３０３ センサー制御部
３０４ センサーデータ処理部
３０５、４０５       データ通信部
４００ タグ入力装置
４０２ キー入力部
４０３ キー制御部
４０４ タグデータ処理部
【図１】
2019075812.tif 000003
【図２】
2019075812.tif 000004
【図３】
2019075812.tif 000005
【図４】
2019075812.tif 000006